(57)【要約】【課題】  簡易な組立性の無線装置を提供し、また、中継アダプタを使用しない安価な無線装置を提供することを目的とする。【解決手段】  アンテナと、プリント基板とが固定ベースに固定され、該固定ベースは貫通穴を設けた導波管にて前記アンテナとプリント基板とが無線連結された無線装置であって、前記固定ベースが前記アンテナ側よりパッキンを挟んでフロントカバーにて覆うことによりフロント側の筐体が構成され、該フロント側の筐体に対して前記プリント基板側がリアケースによりリア側の筐体が構成されたことを特徴とする無線装置。【選択図】  図１
2007251462.tif 000002
【特許請求の範囲】
【請求項１】
アンテナと、プリント基板とが固定ベースに固定され、
該固定ベースは貫通穴を設けた導波管にて前記アンテナとプリント基板とが無線連結された無線装置であって、
前記固定ベースが前記アンテナ側よりパッキンを挟んでフロントカバーにて覆うことによりフロント側の筐体が構成され、
該フロント側の筐体に対して前記プリント基板側がリアケースによりリア側の筐体が構成されたことを特徴とする無線装置。
【請求項２】
アンテナと、プリント基板とが中央部筐体に固定され、
該中央部筐体は貫通穴を設けた導波管にて前記アンテナとプリント基板とが無線連結された無線装置であって、
前記アンテナ側にパッキンを挟んでフロントカバーによりフロント側の筐体が構成され、
且つ、前記プリント基板側にパッキンを挟んでリアカバーによりリア側の筐体が構成されたことを特徴とする無線装置。
【請求項３】
前記アンテナは、少なくとも１組の送信用と受信用の平面アンテナであって、
前記フロントカバーは、前記少なくとも１組の送信用と受信用の各平面アンテナの固定位置によって各々異なる形状とすることを特徴とする前記請求項１または請求項２に記載の無線装置。
【発明の詳細な説明】
【技術分野】
【０００１】
本発明は、無線装置に関し、特に、アンテナを筐体内部に備える無線装置に関するものである。
【背景技術】
【０００２】
図６は、従来の、アンテナを内部に備えた無線装置の分解図の一例を示す。
本図６における無線装置の構造は、平面アンテナ２はアンテナ固定ベース１０にネジ１０５で固定し、そしてアンテナ固定ベース１０をフロントカバー８にネジ１０６で固定していた。
また、メイン基板２０２はリアケース１２にネジ１０８で固定し、アンテナ固定ベース１０とメイン基板２０２に中継アダプタ１３を設け、ケーブル１４で接続し、フロントカバー８とリアケース１２の間にパッキン９を挟み、ネジ１０７で固定していた。
従来の無線装置としては、例えば、特許文献１、２に示すようなものがある。
【０００３】
【特許文献１】特開平１０−３２２１２６
【特許文献２】特開２０００−２６１２３８
【発明の開示】
【発明が解決しようとする課題】
【０００４】
しかしながら、上記のような従来の無線装置では、例えば、一旦本体を組立てた後、平面アンテナ２を故障やメンテナンスなどにより交換する場合、リアケース１２とフロントカバー８を分解し、アンテナ固定ベース１０とメイン基板２０２の中継アダプタ１３を外し、アンテナ固定ベース１０をフロントカバー８から取り外す作業が必要であり組立性が複雑という問題点があった。
また、アンテナ固定ベース１０とメイン基板２０２を中継する中継アダプタ１３は高価であり経済的な問題点があった。
【０００５】
本発明は、このような従来の事情に鑑み為されたもので、簡易な組立性の無線装置を提供し、また、中継アダプタを使用しない安価な無線装置を提供することを目的とする。
【課題を解決するための手段】
【０００６】
上記従来の問題点を解決するため請求項１に記載の発明は、アンテナと、プリント基板とが固定ベースに固定され、該固定ベースは貫通穴を設けた導波管にて前記アンテナとプリント基板とが無線連結された無線装置であって、前記固定ベースが前記アンテナ側よりパッキンを挟んでフロントカバーにて覆うことによりフロント側の筐体が構成され、該フロント側の筐体に対して前記プリント基板側がリアケースによりリア側の筐体が構成された無線装置である。
これにより、アンテナ側とプリント基板側の部屋を別々の部屋に分割した部屋とした防水構造の無線装置とすることができる。
【０００７】
上記従来の問題点を解決するため請求項２に記載の発明は、アンテナと、プリント基板とが中央部筐体に固定され、該中央部筐体は貫通穴を設けた導波管にて前記アンテナとプリント基板とが無線連結された無線装置であって、前記アンテナ側にパッキンを挟んでフロントカバーによりフロント側の筐体が構成され、且つ、前記プリント基板側にパッキンを挟んでリアカバーによりリア側の筐体が構成された無線装置である。
これにより、アンテナ側とプリント基板側の部屋を別々の部屋に分割した部屋として、それぞれ防水構造とすることができ、また、メンテナンスなどの際に各部屋毎に装置の分解や組み立てができ、作業性が容易となる。
【０００８】
上記従来の問題点を解決するため請求項３に記載の発明は、前記請求項１または請求項２に記載の無線装置であって、前記アンテナは、少なくとも１組の送信用と受信用の平面アンテナであって、前記フロントカバーは、前記少なくとも１組の送信用と受信用の各平面アンテナの固定位置によって各々異なる形状とすることを特徴とする。
これにより、例えば、６０ＧＨｚ帯などの無線周波数の送受信を行う無線装置に適したものとなり、また、フロントカバーの形状として、例えば、受信面を凹部形状、送信面を凸部形状とすることで、送受信を行う無線装置である旨を把握しやすく、機能美に優れている。
【発明の効果】
【０００９】
本発明によると、簡易な組立性の無線装置を提供し、また、中継アダプタを使用しない安価な無線装置を提供することができる。
【発明を実施するための最良の形態】
【００１０】
本発明に係る実施例を図面を参照して説明する。
本発明の実施の形態に係る無線装置の第１実施例を図１〜図５を用いて説明する。
図１は、本発明の実施の形態に係る無線装置（第１実施例）のフロントカバー側の分解図を示す。
筐体１と、導波管４と、平面アンテナ２とが、ネジ１０１と、パッキン５と、フロントカバー３と、ネジ１０２とより構成される。
また、筐体１の背面側がリアカバー側となる。
ここで、例えば本実施例では、平面アンテナ２は、何れか一方が送信用アンテナであり、もう一方が受信用アンテナとなり、例えば、６０ＧＨｚ帯などの無線周波数の送受信を行うものであり、同様の無線装置を対向させて用いている。
そして、フロントカバーの形状としては、例えば、受信面を凹部形状、送信面を凸部形状としている。
【００１１】
図２は、本発明の実施の形態に係る無線装置（第１実施例）の組立図（その１）を示す。
平面アンテナ２は、導波管４を挟んで筐体１にネジ１０１で固定する。
ここで、平面アンテナ２の導波管の穴と導波管４の穴を、図２のａに示す通り合致させてネジ１０１にて固定している。
そして、平面アンテナ２をネジ１０１で固定した反対側（すなわち、筐体１の背面側）には、メイン基板２０１をネジ１０３で筐体１に固定する。
これにより、平面アンテナ２とメイン基板２０１が、導波管４で結合されたことになる。
【００１２】
図３は、本発明の実施の形態に係る無線装置（第１実施例）の組立図（その２）を示す。
つぎに、筐体１とフロントカバー３を、パッキン５を挟み込み、ネジ１０２で固定する。
これにより、平面アンテナ側（すなわち、フロントカバー３側）は、独立した空間の部屋となり、この部屋の中に水の侵入のし難い構造とすることができる。
【００１３】
図４は、本発明の実施の形態に係る無線装置（第１実施例）の組立図（その３）を示す。
前述した図２、図３では、フロントカバー側の組み立てた構造としたが、一方、メイン基板側（すなわち、リアカバー側）は、筐体１とリアカバー６を、パッキン７を挟み込み、ネジ１０４で固定する。
これにより、メイン基板側（すなわち、リアカバー側）は、独立した空間の部屋となり、独立した防水構造することができる。
【００１４】
図５は、本発明の実施の形態に係る無線装置（第１実施例）の組立図（その４）を示す。
上述したように、本第１実施例の無線装置を組み立てる方法としては、前述したように図２、図３、図４の順序でも良く、また、図４のメイン基板側（リアカバー側）を先に組み立てた上で、図２、図の順序としても良い。
そして、本図５に示すように、外観上では、フロントカバー３と、筐体１と、リアカバー６と、より構成される無線装置とする。
【００１５】
上述した第１実施例による無線装置では、平面アンテナとメイン基板を実装する部屋を別々とし、平面アンテナ、メイン基板をそれぞれ取り外す時、必要な部品の部屋のみ分解するため、組立性が良い。
また、導波管を用いていることにより、中継コネクタ、ケーブルを必要とせず、経済性が非常に良い。
さらに、必要な箇所のみ分解するため、周囲から飛散する塵、埃が筐体内に入り込むことを低下させることができ、また、防水性を向上させることができる。
【００１６】
図７は、本発明の実施の形態に係る無線装置（第２実施例）の分解図を示す。
平面アンテナ２はアンテナ固定ベース１０に導波管４を挟んでネジ１０５で固定し、その反対面にはメイン基板２０１をネジ１０８で固定する。
これにより、平面アンテナ２とメイン基板２０１とが導波管４の穴で連結する。
そして、アンテナ固定ベース１０はパッキン９を挟み、フロントカバー８を勘合させて、リアケース１１にネジ１０７で固定する。
なお、本第２実施例では、一旦本体を組立てた後、例えば、平面アンテナのみを交換する場合、リアケース１１とフロントカバー８を分解し、アンテナ固定ベース１０とフロントカバー８を分解する必要があるが、組み立てられた状態においては、平面アンテナ側と、メイン基板側の別々の空間の部屋は構成されており、例え浸水したとしても、両方の部屋に浸水される可能性が少なく、防水性においては従来の構造よりも優れている。
【００１７】
本発明の実施の形態（第１実施例、第２実施例）によれば、無線装置の平面アンテナの固定方法において、平面アンテナとメイン基板を固定ベースに固定し、それぞれの部品と固定ベースに貫通穴を設けた導波管で連結し、平面アンテナとフロントカバーの間と、メイン基板とリアカバーの間にパッキンを挟み、平面アンテナとメイン基板の部屋を別々の部屋に分割した部屋として、それぞれ防水構造としたことを特徴とする平面アンテナの固定方法を提供することができる。
また、本発明の実施の形態においては、フロントカバーの材質を樹脂とし、また、リアカバー（またはリアケース）の材質を樹脂、または、金属としても良い。
【００１８】
このことは、従来の無線装置においては、平面アンテナとメイン基板の部屋を同じ部屋とし、フロントカバー側に平面アンテナとアンテナベース、リアケース側にメイン基板を実装したため、各々をケーブルで接続する必要があって、そのため一旦組立後、平面アンテナ、メイン基板を交換または取り外す場合、組立性が悪いという問題があり、また、中継するアダプタは高価であって問題があった点を解決するものである。
すなわち、平面アンテナとメイン基板を筐体に固定する部屋を別々にして、それぞれの部屋の間を導波管で連結しており、また、接続ケーブル、アダプタ等の部品が必要無く、経済的に優れている。
【００１９】
本発明の実施の形態（第１実施例）によれば、平面アンテナの固定方法において、平面アンテナを筐体に固定し、平面アンテナの対面にはメイン基板を固定し、各々の固定部の間を筐体に貫通穴を設けた導波管で連結し、平面アンテナとフロントカバーの間にパッキンを挟み、またメイン基板とリアカバーの間にもパッキンを挟み、平面アンテナとメイン基板の部屋を別室としている。
これにより、それぞれの部屋毎に防水構造のものとなり、メンテナンスなどの際の作業性に優れ、また、ケーブル、アダブタ等を使用せず経済的にも優れている。
【００２０】
また、本発明の実施の形態（第１実施例）によれば、平面アンテナを筐体に直接固定することが可能となり、平面アンテナを固定する余計な部品を必要としない。
また、筐体の反対面にはメイン基板等の電気部品を実装し、メイン基板を取り外すこと無く、アンテナを取り外すことが可能であって、例えば、平面アンテナとメイン基板を取り外し交換する場合、他の部屋を開ける必要は無く、交換する部品の実装した部屋を開けるため、必要最小限の作業で良い。
また、各々空間が別の部屋となる構造であり、筐体全体の防水性に優れている。
特に、組立完成後に、平面アンテナのみを交換する場合には、リアカバーとフロントカバーを分解し、アンテナ固定ベースとフロントカバーを分解するといった必要がなく、より組立性に優れている。
また、本発明の実施の形態においては、筐体の材質を金属とし、また、フロントカバーの材質を樹脂とし、また、リアカバーの材質を樹脂、または、金属とし、また、筐体の両面に防水用パッキンを固定し、また、筐体に遮熱板を取り付けても良い。
【００２１】
以上、説明したように本発明によれば、平面アンテナを有する無線装置の構造において、より組立性の良い平面アンテナの固定方法を提供することができ、また、防水性に優れた無線装置を提供することができる。
例えば、本発明の実施の形態では、６０ＧＨｚ帯などの無線周波数の送受信を行う無線装置であって、対向して送受信がなされる。
そして、フロントカバーの形状としては、例えば、受信面を凹部形状、送信面を凸部形状とすることにより、内部の平面アンテナそのものの形状は送信、受信共同様な形状であったとしても、送信と受信を行う無線装置であることが、一見してイメージすることができる機能美に優れた形状としている。
【図面の簡単な説明】
【００２２】
【図１】本発明の実施の形態に係る無線装置（第１実施例）のフロントカバー側の分解図を示す。
【図２】本発明の実施の形態に係る無線装置（第１実施例）の組立図（その１）を示す。
【図３】本発明の実施の形態に係る無線装置（第１実施例）の組立図（その２）を示す。
【図４】本発明の実施の形態に係る無線装置（第１実施例）の組立図（その３）を示す。
【図５】本発明の実施の形態に係る無線装置（第１実施例）の組立図（その４）を示す。
【図６】従来の、アンテナを内部に備えた無線装置の分解図の一例を示す。
【図７】本発明の実施の形態に係る無線装置（第２実施例）の分解図を示す。
【符号の説明】
【００２３】
１…筐体、２…平面アンテナ、３…フロントカバー、４…導波管（導波管の穴）、５…パッキン（フロント側）、６…リアカバー、７…パッキン（リア側）、８…フロントカバー、９…パッキン、１０…アンテナ固定ベース、１１…導波管（アンテナ固定ベース）、１１…導波管、１２…リアケース、１３中継アダプタ（従来）、１４…ケーブル（従来）、１０１…ネジ（平面アンテナ固定用）、１０２…ネジ（フロントカバー固定用）、１０３…ネジ（メイン基板固定用）、１０４…ネジ（リアカバー固定用）、１０５…ネジ（平面アンテナ固定用）、１０６…ネジ（アンテナ固定ベース固定用）、１０７…ネジ（フロントカバー固定用）、１０８…ネジ（メイン基板固定用）、２０１…メイン基板、２０２…メイン基板（従来）、ａ…導波管の合致。
【図１】
2007251462.tif 000003
【図２】
2007251462.tif 000004
【図３】
2007251462.tif 000005
【図４】
2007251462.tif 000006
【図５】
2007251462.tif 000007
【図６】
2007251462.tif 000008
【図７】
2007251462.tif 000009